【事件の表示】
　特願２０１５−５０２７７４「触感呈示装置」拒絶査定不服審判事件〔平成２６年　９月　４日国際公開、ＷＯ２０１４／１３２６２９〕について、次のとおり審決する。
【結　論】
　本件審判の請求は、成り立たない。
【理　由】
第１　手続の経緯
　本願は、２０１４年（平成２６年）２月２５日（優先権主張２０１３年（平成２５年）２月２６日、日本国）を国際出願日とする出願であって、平成２７年８月３１日付けで拒絶理由が通知され、同年１１月９日付けで手続補正がなされたが、平成２８年１月２９日付けで拒絶の査定がなされ、これに対し、同年５月９日に拒絶査定不服審判の請求がなされたものである。
第２　本願発明
　本願の請求項１に係る発明（以下、「本願発明」という。）は、平成２７年１１月９日付けの手続補正書により補正された特許請求の範囲の請求項１に記載されたとおりの
「パネルと、
　前記パネルを振動させることにより触感を呈示する触感呈示部と、
　筐体と、
　前記パネル背面と前記筐体との間に取り付けられ、前記筐体外部から前記筐体内部への塵又は水の侵入を抑制するための略Ｕ字形状のシリコンゴムと、
を備えた触感呈示装置。」
にあるものと認める。
第３　引用発明
（１）原査定の拒絶の理由において引用された国際公開第２０１２／１３７４４３号（以下、「引用文献１」という。）には、図面とともに以下の事項が記載されている。
ア
「[0009]本発明によれば、
外観を構成するパネルを備え、当該パネルを振動させる電子機器
パネルの振動を阻害しにくくし
防塵性、防水性を向上させる
イ
「[0013]図１に示すように、本実施の形態に係る
電子機器１は、外観上、上部筐体１０ａと、下部筐体１０ｂと、タッチパネル２０と、を備えている。
[0014]
上部筐体１０ａおよび下部筐体１０ｂは、両者が一体に組み合わさることにより、筐体１０を構成する。
[0015]なお、上部筐体１０ａは、例えばベゼル等の各種の部材とすることができるが、本明細書においては「上部筐体」と総称する。上部筐体１０ａをベゼルとする場合、当該上部筐体１０ａは、例えば金属製、プラスチック製、ＡＢＳ等の樹脂製などとすることができ、ある程度の強度を有する素材で構成するのが好適である。
[0016]タッチパネル２０は、通常、後述する表示部８０の前面に配置して、表示部８０に表示したオブジェクトに対する操作者の指やスタイラスペン等（以下、単に「接触物」と総称する）による接触を、対応するタッチパネル２０のタッチ面において検出する。したがって、本実施の形態において、「タッチパネル」とは、例えばＬＣＤ等とすることができる表示部８０の前面に配置する、即ち当該表示部８０とは別に設けられる部材を想定して説明する。また、タッチパネル２０は、タッチ面に対する接触物の接触の位置を検出し、当該検出した接触の位置を制御部（図示せず）に通知する。」
ウ
「[0019]図２は、図１に示した電子機器１において、上部筐体１０ａを下部筐体１０ｂと分離させた状態、すなわち筐体を分解した状態にしてから、さらにタッチパネル２０に係る周辺要素を取り外した状態を示す斜視図である。
[0020]図２に示すように、
上部筐体１０ａは、枠状の部材とし、前面（上面）に窓（開口部）が形成されるようにする。この窓により、電子機器１を組み立てた状態において、操作者は後述の表示部８０の表示を外部から視認することができ、さらに操作者がタッチパネル２０に接触することができる。
下部筐体１０ｂ内側の底部には、後述するように、例えばＬＣＤなどの表示部やＬＣＤホルダ、また各種の基板などの種々の部品を設置することができる
[0021]図２から分かるように、
下部筐体１０ｂと上部筐体１０ａとを組み合わせた状態においては、タッチパネル２０は、図に示す各種の部材に支持されながら、下部筐体１０ｂと上部筐体１０ａとの間に配置される。
[0022]
上部筐体１０ａとタッチパネル２０との間には、図２に示すように、細長状の弾性部材７０が配置される。図２において、弾性部材７０は、タッチパネル２０の表面（前面）において、タッチパネル２０の縁辺部分のうち２つの長辺に沿って配置されている。
[0023]タッチパネル２０の前面側に配置される細長状の弾性部材７０は、例えばスポンジ等の伸縮性の材料、またはウレタンフォームなどの弾性および伸縮性を有する柔軟な材料とするのが好適である。また、この弾性部材７０は、上部筐体１０ａおよびタッチパネル２０に対して、例えば両面テープまたは接着剤などにより接着するのが好適である。このように、本実施の形態においては、タッチパネル２０の表面（前面）において、対向する２つの縁辺部分と上部筐体１０ａとの間に、それぞれ弾性部材７０を介在させる。
[0024]また、図２から分かるように、
下部筐体１０ｂの内部には、支柱３０および柔軟性シール部材４０が配置される。タッチパネル２０は、これらの支柱３０および柔軟性シール部材４０によって支持される。なお、本発明の弾性部材には、弾性部材７０および柔軟性シール材料４０のいずれも含まれるものとする。
[0025]
タッチパネル２０を支持する支柱３０は、下部筐体１０ｂの内部の四隅にそれぞれ配置される。この支柱３０は、例えばシリコンゴムなどの弾性材料製として、例えばＪＩＳ−Ａ硬度５０〜６０度程度とする。このように、弾性材料性の支柱３０を用いることにより、タッチパネル２０を振動させる際に、当該振動の減衰を低減するようにする。
[0026]また、
タッチパネル２０を支持する柔軟性シール部材４０は、タッチパネル２０の裏面（背面）において、タッチパネル２０の縁辺部分のうち２つの短辺に沿って配置される。
この柔軟性シール部材４０は、例えば支柱３０よりも硬度の低い、即ち柔らかいシリコンゴムまたは防水ゲルなどを用いるのが好適である。いずれの場合も、柔軟性シール部材４０は、伸縮性に富み、圧縮した状態においては復元力が作用する材料を用いるようにする。また、柔軟性シール部材４０は、例えば発泡性材料のように気泡を含む材料などとすることもできるが、少なくともダストや塵などを通過させることのない材料、つまり防塵に好適な材料を用いるようにする。
[0027]
図２に示す柔軟性シール部材４０は、両側の支柱３０の間に挟み込まれる前の状態を表している。このように、柔軟性シール部材４０の長手方向の長さは、支柱３０の間に挟み込まれる前の状態においては、支柱３０同士の間の寸法よりも若干大きめにする。そして、柔軟性シール部材４０を支柱３０同士の間に挿入する際には、柔軟性シール部材４０が横方向に若干圧縮された状態で、各支柱３０に挟み込まれるようにする。さらに、柔軟性シール部材４０の高さも、タッチパネル２０を取り付ける前の状態においては、支柱３０の高さよりも若干大きめにする。そして、タッチパネル２０が各支柱３０に取り付けられる際には、柔軟性シール部材４０が縦方向に若干圧縮された状態で、タッチパネル２０と下部筐体１０ｂの凸部１２ｂとの間に挟み込まれるようにする。このように、本実施の形態においては、タッチパネル２０の裏面（背面）において、対向する２つの縁辺部分と下部筐体１０ｂとの間に、それぞれ柔軟性シール部材４０を圧入させる。
[0028]なお、図２に示すように、
下部筐体１０ｂの内部には、支柱３０および柔軟性シール部材４０を配置するための凸部１２ｂが形成されている。この凸部１２ｂの高さは、支柱３０および柔軟性シール部材４０の寸法に応じて、タッチパネル２０が適切な高さの位置に保たれるように設計する。
柔軟性シール部材４０は、タッチパネル２０の裏面または下部筐体１０ｂ（の凸部１２ｂ）のうち少なくとも一方と、例えば両面テープまたは接着剤などにより接着するのが望ましい。
エ
「[0029]図３は、図２に示したタッチパネル２０および当該タッチパネル２０の周辺要素をさらに説明する図である。上述したように、タッチパネル２０の表面（前面）側において、細長の弾性部材７０が、タッチパネル２０の縁辺部分のうち対抗する２つ長辺に沿って配置される。なお、図３に示すように、本実施の形態において、タッチパネル２０は矩形状のものとするのが好適である。
[0030]図３に示すように、
タッチパネル２０の裏面には、その上下の縁辺（図の奥側および手前側の辺）付近に、振動部５０が取り付けられる。振動部５０は、タッチパネル２０の裏面に例えば両面テープまたは接着剤などにより接着するのが好適である。この振動部５０は、例えば圧電素子で構成し、タッチパネル２０を湾曲させることにより振動させる。
[0031]図３に示した実施の形態においては、振動部５０をタッチパネル２０の裏面から貼り付けるようにしたが、本発明において、振動部５０はタッチパネル２０に振動を伝達させるものである。したがって、振動部５０は、圧電素子などをタッチパネル２０または当該タッチパネル２０を保持するパネルホルダ（図示せず）などの任意の位置に接着するなどして固定し、タッチパネル２０を振動させるものとすることもできる。しかしながら、タッチパネル２０を良好に振動させることができるように、振動部５０は、タッチパネル２０の裏面に貼り付けられた圧電素子とするのが好適である。
[0032]
この振動部５０は、所定の振動パターンによる振動を発生させることにより、タッチパネル２０のタッチ面に接触している接触物に対して触感を呈示する。
オ
「[0035]図４に示すように、本実施の形態において、上部筐体１０ａとタッチパネル２０との間には、弾性部材７０を介在させてある。この弾性部材７０は、防塵に適した材料であり、上部筐体１０ａおよびタッチパネル２０と接着されている。したがって、この弾性部材７０によって、タッチパネル２０の長辺側において、下部筐体１０ｂの内部すなわちタッチパネル２０の背面側に、ダストや埃が侵入することは阻止される。
[0036]また、図４に示すように、本実施の形態において、
タッチパネル２０と下部筐体１０ｂ（の凸部１２ｂ）との間には、支柱３０および柔軟性シール部材４０を介在させてある。この柔軟性シール部材４０は、支柱３０同士の間、およびタッチパネル２０の裏面と下部筐体１０ｂ（の凸部１２ｂ）との間に圧縮された状態で圧入されている。したがって、タッチパネル２０の表面側に弾性部材７０が設けられていない縁辺側（短辺側）においては、この柔軟性シール部材４０によって、下部筐体１０ｂの内部すなわちタッチパネル２０の背面側に、ダストや埃が侵入することは阻止される。
[0037]一方、図４に示すように、タッチパネル２０に直接接触しているのは、弾性部材７０、弾性材料性の支柱３０、および柔軟性シール部材４０である。したがって、タッチパネル２０が振動していない状態においては、弾性材料性の支柱３０および圧縮された状態の柔軟性シール部材４０によって、タッチパネル２０は安定的に支持される。しかしながら、
振動部５０がタッチパネル２０を振動させる際に、弾性部材７０、弾性材料性の支柱３０、および柔軟性シール部材４０のいずれも、当該振動を大きく減衰させることはないため、振動の減衰を低減させることができる。
カ
「[0041]図５に示すように、電子機器１を切断する位置によっては、タッチパネル２０の裏面に振動部５０が接着されている。なお、図５においては、
下部筐体１０ｂの内部に、ＬＣＤ等の表示部８０、および各種の基板９０を示してある。
キ
「[0048]このように、本実施の形態によれば、タッチパネルを湾曲振動させる電子機器において、
振動の減衰を低減させつつ防塵対策を施すことができる。また、本実施の形態によれば、柔軟性シール部材４０および弾性部材７０に用いる素材によっては、ある程度の防水効果も期待できる。
ク
「[0051]また、上述した上部筐体１０ａおよび下部筐体１０ｂ、
柔軟性シール部材４０および弾性部材７０などの部材は、本発明による効果が得られる限りにおいて、種々の形状とすることができる。例えば、柔軟性シール部材４０および弾性部材７０は、適当な防塵が図られるのであれば、例えば中空構造にするなど各種の構成とすることができる。
[0052]また、上述した実施の形態において、
支柱３０は必須の構成要素ではなく、柔軟性シール部材４０がある程度の形状を保つことによりタッチパネル２０の高さが保たれるのであれば、本発明において支柱３０を用いない構成とすることもできる。
　以上の記載によれば、以下のことがいえる。
ａ
　上記段落[0013]、[0014]、[0020]、[0021]の記載によれば、引用文献１には、
「上面に開口部が形成された上部筐体１０ａと、下部筐体１０ｂと、タッチパネルとを備えた電子機器であって、
上部筐体１０ａと下部筐体１０ｂとは、一体に組み合わされ、筐体１０を構成し、
タッチパネル２０は、組み合わされた状態で、下部筐体１０ｂと上部筐体１０ａとの間に配置され、操作者は、上部筐体１０ａの開口部により、タッチパネル２０に接触できる、
電子機器。」が記載されている。
ｂ
　上記段落[0022]、[0024]-[0026]、[0052]の記載によれば、支柱３０を用いない構成とすることもできるから、引用文献１には、
　上部筐体１０ａとタッチパネル２０との間には、タッチパネル２０の前面の長辺に沿って弾性部材７０が配置され、タッチパネル２０の背面の短辺に沿って、柔軟性シール部材４０が配置され、柔軟性シール部材４０によって、タッチパネル２０は支持されることが記載されている。
ｃ
　上記段落[0027]、[0028]の記載によれば、引用文献１には、
　柔軟性シール部材４０には、シリコンゴムまたは防水ゲルなどが用いられ、
　下部筐体１０ｂには、凸部１２ｂが形成され、柔軟性シール部材４０は、縦方向にタッチパネル２０と下部筐体１０ｂの凸部１２ｂとの間に若干圧縮された状態で、挟み込まれるように配置され、柔軟性シール部材４０は、タッチパネル２０の裏面または下部筐体１０ｂ（の凸部１２ｂ）のうち少なくとも一方と接着されることが記載されている。
ｄ
　上記段落[0030]、[0032]の記載によれば、引用文献１には、
　タッチパネル２０の裏面には、振動部５０が取り付けられ、タッチパネル２０を振動させることにより、タッチパネル２０のタッチ面に接触している接触物に対して触感を提示することが記載されている。
ｅ
　上記段落[0036]、[0048]、[0051]の記載によれば、引用文献１には、
　柔軟性シール部材４０により、下部筐体１０ｂの内部すなわちタッチパネル２０の背面側に、ダストや埃が侵入することが阻止され、柔軟性シール部材４０の素材によっては、ある程度の防水効果が期待され、柔軟性シール部材４０は、種々の形状とすることができ、適当な防塵が図られるのであれば、例えば中空構造にするなど各種の構成とすることができることが記載されている。
ｆ
　上記段落[0041]の記載によれば、下部筐体内部には、表示部８０が設けられる。
　以上によれば、引用文献１には、
「上面に開口部が形成された上部筐体１０ａと、下部筐体１０ｂと、タッチパネル２０とを備えた電子機器であって、
　上部筐体１０ａと下部筐体１０ｂとは、一体に組み合わされ、筐体１０を構成し、
　下部筐体内部には、表示部８０が設けられ、
　タッチパネル２０は、組み合わされた状態で、下部筐体１０ｂと上部筐体１０ａとの間に配置され、操作者は、上部筐体１０ａの開口部により、タッチパネル２０に接触でき、
　上部筐体１０ａとタッチパネル２０との間には、タッチパネル２０の前面の長辺に沿って弾性部材７０が配置され、タッチパネル２０の背面の短辺に沿って、柔軟性シール部材４０が配置され、柔軟性シール部材４０によって、タッチパネル２０は支持され、
　柔軟性シール部材４０には、シリコンゴムまたは防水ゲルなどが用いられ、
　下部筐体１０ｂには、凸部１２ｂが形成され、柔軟性シール部材４０は、縦方向にタッチパネル２０と下部筐体１０ｂの凸部１２ｂとの間に若干圧縮された状態で、挟み込まれるように配置され、柔軟性シール部材４０は、タッチパネル２０の裏面または下部筐体１０ｂ（の凸部１２ｂ）のうち少なくとも一方と接着され、
　タッチパネル２０の裏面には、振動部５０が取り付けられ、タッチパネル２０を振動させることにより、タッチパネル２０のタッチ面に接触している接触物に対して触感を提示し、
　柔軟性シール部材４０により、下部筐体１０ｂの内部すなわちタッチパネル２０の背面側に、ダストや埃が侵入することが阻止され、柔軟性シール部材４０の素材によっては、ある程度の防水効果が期待され、柔軟性シール部材４０は、種々の形状とすることができ、適当な防塵が図られるのであれば、例えば中空構造にするなど各種の構成とすることができる、
電子機器。」の発明（以下、「引用発明１」という。）が記載されているといえる。
（２）同じく、原査定の拒絶の理由において引用された特開２００６−１７４００４号公報（以下、「引用文献２」という。）には、図面とともに以下の事項が記載されている。
ア
「【０００４】
　図１５に示すように、１は透明パネル２とアクチュエータ３と枠状支持部材４とから成る平面スピーカである。６はスポンジ等のクッション性部材から成る枠状のシールであり、表示窓枠２１ａの背面とＬＣＤ２３との間にＬＣＤ２３を囲むように配設されている。平面スピーカ１は、透明パネル２の周縁部のみで枠状支持部材４によりケース２１に支持されているので、アクチュエータ３の駆動信号で透明パネル２が振動し、広帯域かつ高音圧で音を発するこことができる。図１６において、スピーカとは、大きな入力信号をアクチュエータに加え、振動板から１０ｃｍ離れた点での音圧の周波数特性を測定したものであり、レシーバとは、小さな入力信号をアクチュエータに加え、振動板に耳を密着させて聞いた状態を模擬的に再現し測定した周波数特性を示している。
　　【特許文献１】特表２００２−５３３９５７号公報（図１−図９）
【発明の開示】
【発明が解決しようとする課題】
　【０００５】
　しかし、従来のこのような構成の平面スピーカ１では、上記のように、ＬＣＤ２３の表示面上の空間８は透明パネル２背面の隙間を通じてアクチュエータ３周辺の空間９とつながっている。このため、空間９の領域にあるアクチュエータ３及びその他の物に付着しているゴミは空間８に入り込む可能性がある。空間８はケース２１の表示窓からＬＣＤ２３の表示面を見る際に眼につく場所なので、そこにゴミが見えると外観上の問題を引き起こす要因となってしまう。そこで、空間８を空間９から隔離するための実験をした。図１７は従来の平面スピーカの実験例を示す要部断面図であり、図１８は図１７の実験例の音響特性を示す波形図である。図１７に示すように、ここではＬＣＤ２３は表示窓枠２１ａの内側に配設され、枠状のシール６がＬＣＤ２３上面と透明パネル２とに当接している。シール６は空間８を空間９から遮る防塵用部材としての機能を果たしており、枠状支持部材４とほぼ同じ厚みを有している。ところが、
このようにＬＣＤ２３と透明パネル２との間に枠状支持部材４とほぼ同じ厚みのシール６を設けると、透明パネル２の自由な振動が妨げられて図１８に示すように音圧が不足する部分が生じて音響特性が悪化してしまうという問題があった。
　【０００６】
　本発明は、このような従来の問題を解決するためになされたものであり、その目的は、音響特性を低下させることなく表示装置の外観品質を向上させることができる平面スピーカを提供することである。
【課題を解決するための手段】
　【０００７】
　前述した目的を達成するための本発明の手段は、
表示装置付機器のケースの表示用窓枠に周縁部を支持され、前記表示装置の保護を兼ねる音響用振動板としての透明パネルと、この透明パネルを前記表示用窓枠に支持するための枠状支持部材と、前記表示装置を避けて前記透明パネルの内面に固定され電気音響信号を機械振動に変換するアクチュエータとから成る平面スピーカにおいて、前記表示装置の表示面上の空間をこの空間の外側の空間から隔離するように防塵用部材を配設した
イ
「【００１８】
　まず、本発明の第一の実施の形態である平面スピーカの構成を図面を参照して説明する。図１及び図２において、
１は平面スピーカを示しており、透明パネル２、アクチュエータ３、サスペンション４から成る。１５はスポンジ状部材又はゴム成形部材又は樹脂フィルム状部材等の柔軟部材（例えば日東化工（株）のポロンＬ２４）から成る防塵膜を示しており、振動板裏面の空間分断、且つ振動を妨げないという機能を果たしている。防塵膜１５の上下面には粘着剤を有している。
　【００１９】
　防塵膜１５は略Ｓ字型の断面を有し、一端は透明パネル２の裏面と、他端は枠状支持部材４の厚みを越えてＬＣＤ２３の表面にシール６の外壁と接するように接着されており、両接着部の間には透明パネル２にもＬＣＤ２３にも固定されてない部分αを有する。ＬＣＤ２３の表示面上の空間８は透明パネル２と表示窓枠２１ａとサスペンション４と防塵用部材であるシール６及び防塵膜１５とによって密閉されており、アクチュエータ３の周辺の空間９から隔離されている。その他の構成は従来技術で説明したものと同様であるから、同一構成要素には同じ符号と名称と付して詳細な説明を省略する。
　【００２０】
　次に、本発明の第二の実施の形態である平面スピーカについて図面を参照して説明する。図３は第二の実施の形態である平面スピーカを示す要部断面図である。図３において、２５は一端が透明パネル２の背面に他端がＬＣＤ２３の側面に固定されている防塵膜を示している。防塵膜２５とシール６とは隙間なく接していることが望ましい。空間８はＬＣＤ２３と透明パネル２と表示窓枠２１ａとサスペンション４と防塵用部材であるシール６及び防塵膜２５とによって密閉されており空間９から隔離されている。
　【００２１】
　次に、本発明の第三の実施の形態である平面スピーカについて図面を参照して説明する。図４は第三の実施の形態である平面スピーカを示す要部断面図である。
図４において、３５は略Ｕ字型の断面を有している防塵膜を示している。ＬＣＤ２３の表示面上ではシール６は枠状に存在し、アクチュエータ３側の外壁に接して防塵膜３５の一部が固定されている。空間８はＬＣＤ２３と透明パネル２と表示窓枠２１ａとサスペンション４と防塵用部材であるシール６及び防塵膜３５とによって密閉されており空間９から隔離されている。
ウ　上記下線部の記載によれば、引用文献２は、
「表示装置付機器のケースの表示用窓枠に周縁部を支持され、前記表示装置の保護を兼ねる音響用振動板としての透明パネルと、この透明パネルを前記表示用窓枠に支持するための枠状支持部材と、前記表示装置を避けて前記透明パネルの内面に固定され電気音響信号を機械振動に変換するアクチュエータとから成る平面スピーカにおいて、前記表示装置の表示面上の空間をこの空間の外側の空間から隔離するように防塵用部材を配設し、当該防塵用部材は、ゴム成形部材又は樹脂フィルム状部材等の柔軟部材からなる略Ｕ字型の断面を有し、透明パネルの自由な振動を妨げないものである、平面スピーカ。」の発明（以下、「引用発明２」という。）が記載されている。
第４　対比
　本願発明と引用発明１とを対比する。
（１）引用発明１の「タッチパネル２０」は、本願発明の「パネル」に相当する。
（２）引用発明１の「タッチパネル２０の裏面」に取り付けられ、「タッチパネル２０を振動させることにより、タッチパネル２０のタッチ面に接触している接触物に対して触感を提示」する「振動部５０」は、本願発明の「前記パネルを振動させることにより触感を提示する触感提示部」に相当する。
（３）引用発明１の「上部筐体１０ａと下部筐体１０ｂと」が、「一体に組み合わされ」た「筐体１０」は、本願発明の「筐体」に相当する。
（４）引用発明１の「柔軟性シール部材４０」は、「タッチパネル２０の背面の短辺に沿って」配置され、「タッチパネル２０」と「筐体」を構成する「下部筐体１０ｂの凸部１２ｂとの間」に挟み込まれるから、引用発明１の「柔軟性シール部材４０」は、本願発明と同様に「前記パネル背面と前記筐体との間に取り付けられ」るものといえる。
　また、引用発明１の「柔軟性シール部材４０」には、「シリコンゴム」などが用いられ、「下部筐体１０ｂの内部すなわちタッチパネル２０の背面側に、ダストや埃が侵入することが阻止」するものであり、「柔軟性シール部材４０の素材によっては、ある程度の防水効果」が期待されるものであるから、引用発明１の「柔軟性シール部材」は、「前記筐体外部から前記筐体内部への塵又は水の侵入を抑制するためのシリコンゴム」といえる。
　よって、引用発明１の「柔軟性シール部材４０」と本願発明の「前記パネル背面と前記筐体との間に取り付けられ、前記筐体外部から前記筐体内部への塵又は水の侵入を抑制するための略Ｕ字形状のシリコンゴム」とは、いずれも、「前記パネル背面と前記筐体との間に取り付けられ、前記筐体外部から前記筐体内部への塵又は水の侵入を抑制するためのシリコンゴム」である点で共通する。
（５）引用発明１の「電子機器」は、触感を提示する構成を有しているから、「触感提示装置」ともいい得るものである。
　以上によれば、本願発明と引用発明１とは、以下の一致点、相違点を有している。
［一致点］
「パネルと、
　前記パネルを振動させることにより触感を呈示する触感呈示部と、
　筐体と、
　前記パネル背面と前記筐体との間に取り付けられ、前記筐体外部から前記筐体内部への塵又は水の侵入を抑制するためのシリコンゴムと、
を備えた触感呈示装置。」
［相違点］
　シリコンゴムが、本願発明では「略Ｕ字形状」であるのに対し、引用発明１では、種々の形状とすることができ、適当な防塵が図られるのであれば、例えば中空構造にするなど各種の構成とすることができるものの、「略Ｕ字形状」とは特定されていない点。
第５　判断
（１）［相違点］について
　相違点について検討する。
　引用発明１では、シリコンゴムの形状は、種々の形状とすることができ、適当な防塵が図られるのであれば、例えば中空構造にするなど各種の構成とすることができるから、その断面形状は、筐体外部と筐体内部とを隔離できればどのような形状でもよいものである。また、引用文献１の段落[0037]の記載によれば、柔軟性シール部材４０は、パネルの振動の減衰を低減させるものであるから、柔軟性シール部材４０としては、パネルの振動を減衰させない形状を採用する方が望ましいことは当業者にとって明らかである。
　そして、引用発明２は、引用発明１と同様の表示装置、パネルを備え、パネルを振動させる電子機器において、ゴム成形部材からなる略Ｕ字型の断面を有する防塵用部材を外側の空間から隔離するように配設するものであり、パネルの振動を妨げないものであるから、引用発明１の筐体外部と筐体内部とを隔離するシリコンゴムの断面形状として引用発明２を採用し、「略Ｕ字形状」とすることは当業者が容易に想到し得た事項である。
（２）本願発明の効果について
　本願発明の構成によってもたらされる効果は、引用文献１、２の記載事項から当業者が予測し得る範囲を超えるものとはいえない。
　したがって、本願発明は、引用発明１および引用発明２から、当業者が容易に発明をすることができた発明である。
第６　むすび
　以上のとおり、本願発明は、引用文献１、引用発明２に記載された発明に基づいて、当業者が容易に発明をすることができたものであるから、特許法第２９条第２項の規定により特許を受けることができない。
　したがって、本願は拒絶されるべきものである。
　よって、結論のとおり審決する。